(57)【要約】【課題】入浴事故に関するもので、浴室温度と風呂温度の温度差により入浴者がヒートショックを起こしてしまうという課題があった。【解決手段】あたため浴運転制御手段３８ａは、あたため浴運転開始時に、浴槽の蓋を開けておくことを促す報知を行い、湯張り温度を風呂設定温度よりも高温の所定暖房温度にして湯の供給を開始し、第一の所定量の湯を供給したら、所定のヒートショック緩和条件に達するまで、風呂循環ポンプ２０の駆動で、風呂循環回路１９と浴槽の湯を風呂設定温度よりも高温になるように循環させ、風呂設定温度よりも高温の浴槽水からの放熱により浴室温度を上昇させる第一攪拌動作を行い、第一攪拌動作が終了したら、任意に定められた風呂設定量もしくは風呂設定水位の時に浴槽内の湯が風呂設定温度になるように湯張り温度を調整して供給するようにした。【選択図】図２
2019158270.tif 000002
【特許請求の範囲】
【請求項１】
浴槽へ湯張り温度の湯を供給する湯張り運転及び浴槽の湯を風呂循環回路と風呂熱交換器とに風呂循環ポンプの駆動で圧送して、予め設定された所望の風呂設定温度の湯になるように追い焚きする追い焚き運転とを行う風呂給湯装置において、
前記風呂給湯装置の制御手段には、前記湯張り運転開始時に外気温度あるいは浴室温度が低い場合は、前記湯張り運転をあたため浴運転に切り替え、前記あたため運転の制御を行うあたため浴運転制御手段を設け、
前記あたため浴運転制御手段は、前記あたため浴運転開始時に、前記浴槽の蓋を開けておくことを促す報知を行い、前記湯張り温度を前記風呂設定温度よりも高温の所定暖房温度にして湯の供給を開始し、第一の所定量の湯を供給したら、所定のヒートショック緩和条件に達するまで、前記風呂循環ポンプの駆動で、前記風呂循環回路と前記浴槽の湯を前記風呂設定温度よりも高温になるように循環させ、前記風呂設定温度よりも高温の浴槽水からの放熱により浴室温度を上昇させる第一攪拌動作を行い、前記第一攪拌動作が終了したら、任意に定められた風呂設定量もしくは風呂設定水位の時に前記浴槽内の湯が前記風呂設定温度になるように前記湯張り温度を調整して供給するようにしたことを特徴とする風呂給湯装置。
【請求項２】
前記風呂給湯装置は、前記風呂循環回路内に水圧を検知することにより前記浴槽内の水位を検出する水位センサを設け、
前記あたため浴運転制御手段は、前記水位センサにより前記浴槽に残湯が有ると検出した場合、前記追い焚き運転で前記風呂設定温度まで追い焚きし、
前記所定のヒートショック緩和条件に達するまで、前記第一攪拌動作を行い、前記第一攪拌動作が終了したら、前記風呂設定量もしくは前記風呂設定水位の時に前記浴槽内の湯が前記風呂設定温度になるように前記湯張り温度を調整して供給するようにしたことを特徴とする請求項１項記載の風呂給湯装置。
【請求項３】
前記あたため浴運転制御手段は、前記風呂設定量もしくは前記風呂設定水位に達すると、前記浴槽へ湯の供給を停止して前記湯張り運転を終了させ、前記所定のヒートショック緩和条件に達するまで、前記風呂循環ポンプの駆動で、前記風呂循環回路と前記浴槽の湯を循環させて前記風呂設定温度になるように沸き上げ、浴槽水からの放熱により浴室温度を上昇させる第二攪拌動作を行い、前記所定のヒートショック緩和条件を満たしたら前記第二攪拌動作を終了して、前記あたため浴運転完了を報知するようにしたことを特徴とする請求項１または２のいずれか１項記載の風呂給湯装置。
【請求項４】
前記所定のヒートショック緩和条件は、前記浴室温度センサで検出した温度が前記所定のヒートショック緩和温度以上であるか、または、前記第一もしくは第二攪拌動作を所定時間以上継続したかどうかの少なくとも１つを満たしたかであるようにしたことを特徴とする請求項１〜３のいずれか１項記載の風呂給湯装置。
【発明の詳細な説明】
【技術分野】
【０００１】
本発明は、ヒートショックの防止を行う風呂給湯装置に関するものである。
【背景技術】
【０００２】
従来よりこの種の風呂給湯装置においては、特許文献１に示すように、浴槽水の温度と浴室内の温度との温度差から入浴事故（ヒートショック）に関するリスク値を演算し、脱衣室または浴室へ人が入室したことを検知すると、リモートコントローラにてリスク値を報知するようにした風呂給湯装置があった。
【０００３】
また、特許文献２で示すように、浴槽水の温度と浴室内の温度との温度差による入浴事故を防止するため、リモコン操作によりスリット状の風呂の蓋を開くことで、風呂の湯気を浴室内に放出し、浴室温度を上昇させるものがあった。
【先行技術文献】
【特許文献】
【０００４】
【特許文献１】特開２００３−２２５１７４号公報
【特許文献２】特開２００８−２３３２２号公報
【発明の概要】
【発明が解決しようとする課題】
【０００５】
しかし、この特許文献１のようなものでは、入浴事故に関するリスク値を報知するもので、入浴者に気をつけるように報知するだけで具体的にヒートショックを防止するのかは言及されておらず、特許文献２のようなものでは、風呂の蓋を開閉動作可能な構造にする必要があり、また、風呂の蓋を開き、風呂の湯気を浴室内に放出してしまうと風呂設定温度まで沸き上げた湯をわざわざ冷ましてしまうことになり使い勝手が悪いという問題があった。
【課題を解決するための手段】
【０００６】
本発明は上記課題を解決するために、浴槽へ湯張り温度の湯を供給する湯張り運転及び浴槽の湯を風呂循環回路と風呂熱交換器とに風呂循環ポンプの駆動で圧送して、予め設定された所望の風呂設定温度の湯になるように追い焚きする追い焚き運転とを行う風呂給湯装置において、
前記風呂給湯装置の制御手段には、前記湯張り運転開始時に外気温度あるいは浴室温度が低い場合は、前記湯張り運転をあたため浴運転に切り替え、前記あたため運転の制御を行うあたため浴運転制御手段を設け、
前記あたため浴運転制御手段は、前記あたため浴運転開始時に、前記浴槽の蓋を開けておくことを促す報知を行い、前記湯張り温度を前記風呂設定温度よりも高温の所定暖房温度にして湯の供給を開始し、第一の所定量の湯を供給したら、所定のヒートショック緩和条件に達するまで、前記風呂循環ポンプの駆動で、前記風呂循環回路と前記浴槽の湯を前記風呂設定温度よりも高温になるように循環させ、前記風呂設定温度よりも高温の浴槽水からの放熱により浴室温度を上昇させる第一攪拌動作を行い、前記第一攪拌動作が終了したら、任意に定められた風呂設定量もしくは風呂設定水位の時に前記浴槽内の湯が前記風呂設定温度になるように前記湯張り温度を調整して供給するようにした。
【０００７】
また、前記風呂給湯装置は、前記風呂循環回路内に水圧を検知することにより前記浴槽内の水位を検出する水位センサを設け、
前記あたため浴運転制御手段は、前記水位センサにより前記浴槽に残湯が有ると検出した場合、前記追い焚き運転で前記風呂設定温度まで追い焚きし、
前記所定のヒートショック緩和条件に達するまで、前記第一攪拌動作を行い、前記第一攪拌動作が終了したら、前記風呂設定量もしくは前記風呂設定水位の時に前記浴槽内の湯が前記風呂設定温度になるように前記湯張り温度を調整して供給するようにした。
【０００８】
また、前記あたため浴運転制御手段は、前記風呂設定量もしくは前記風呂設定水位に達すると、前記浴槽へ湯の供給を停止して前記湯張り運転を終了させ、前記所定のヒートショック緩和条件に達するまで、前記風呂循環ポンプの駆動で、前記風呂循環回路と前記浴槽の湯を循環させて前記風呂設定温度になるように沸き上げ、浴槽水からの放熱により浴室温度を上昇させる第二攪拌動作を行い、前記所定のヒートショック緩和条件を満たしたら前記第二攪拌動作を終了して、前記あたため浴運転完了を報知するようにした。
【０００９】
また、前記所定のヒートショック緩和条件は、前記浴室温度センサで検出した温度が前記所定のヒートショック緩和温度以上であるか、または、前記第一もしくは第二攪拌動作を所定時間以上継続したかどうかの少なくとも１つを満たしたかであるようにした。
【発明の効果】
【００１０】
本発明によれば、浴室温度が所定温度よりも低い場合は、前記あたため浴運転を選択することで、前記あたため浴運転途中に、浴室温度と風呂温度の温度差によるヒートショックを防止する条件であるヒートショック緩和条件に達するまで、前記循環ポンプの駆動で、前記風呂循環回路と浴槽の湯を循環させて、浴槽水からの放熱により浴室温度を上昇させる攪拌動作を行うことで、前記あたため浴運転完了時に浴室をヒートショックの危険が無い温度まで浴室温度をあたためることができる。
【００１１】
また、所定のヒートショック緩和条件を満たしていれば通常の湯張り運転を行なって、湯張り運転完了を報知するため、無駄な攪拌動作をしなくてもよく、電気代を節約すると共に、簡易な制御によってヒートショックを防止することができる。
【図面の簡単な説明】
【００１２】
【図１】本発明の一実施形態の構成を示す概略図
【図２】同一実施形態のあたため浴運転の動作を説明するためのフローチャート
【図３】同一実施形態の第一攪拌動作を説明するためのフローチャート図
【図４】同一実施形態の第二攪拌動作を説明するためのフローチャート図
【図５】同一実施形態の通常湯張り運転を説明するためのフローチャート図
【発明を実施するための形態】
【００１３】
次に、本発明の一実施形態の風呂給湯装置を図面に基づいて説明する。
【００１４】
図１は風呂給湯装置の構成を示す概略図で、１は湯水を貯湯する貯湯タンク、２は貯湯タンク１底部に給水する給水管、３は貯湯タンク１頂部から出湯する出湯管、４は給水管２から分岐された給水バイパス管、５は出湯管３からの湯と給水バイパス管４からの水とを混合する給湯混合弁、６は給湯混合弁５の出口と給湯栓７とを接続する給湯管、８は給湯管６を流れる湯水の流量を検出する給湯流量センサ、９は給湯管６を流れる湯水の温度を検出する給湯温度センサ、１０は給水バイパス管４を流れる給水の温度を検出する給水温度センサである。
【００１５】
１１は出湯管３からの湯と給水バイパス管４からの水とを混合する風呂混合弁、１２は風呂混合弁１１からの湯水を浴室に設置された浴槽１３へ湯張りするための湯張り管、１４は湯張り管１２を流れる湯水の流量を検出する湯張り流量センサ、１５は湯張り管１２を流れる湯水の温度を検出する湯張り温度センサ、１６は湯張り管１２の流路を開閉する湯張り電磁弁、１７は貯湯タンク１の側面上下に複数設けられて貯湯温度を検出する貯湯温度センサである。
【００１６】
１８は貯湯タンク１内に配置されたステンレス製の蛇管により構成され、浴槽１３内の浴槽水を加熱するための風呂熱交換器、１９は浴槽１３と風呂熱交換器１８とを浴槽水が循環可能に接続する風呂循環回路、２０は浴槽１３内の浴槽水を吸い込んで風呂熱交換器１８へ圧送して浴槽水を循環させるための風呂循環ポンプ、２１は浴槽水の温度を検出するための風呂温度センサ、２２は水圧を検知することにより浴槽１３内の水位を検出する水位センサであり、風呂循環回路１９途中には湯張り管１２が接続されている。
【００１７】
２３は風呂循環回路１９途中に設けられ、風呂熱交換器１８を迂回可能に構成された三方弁である。
【００１８】
２４は貯湯タンク１内の湯水を加熱するためのヒートポンプ式の加熱手段、２５は貯湯タンク１と加熱手段２４とを湯水が循環可能に接続する加熱循環回路、２６は湯水を循環させる加熱循環ポンプ、２７は加熱手段２４に入水する湯水の温度を検出する入水温度センサ、２８は加熱手段２４で沸き上げられた湯水の温度を検出する沸き上げ温度センサである。ここで、ヒートポンプ式の加熱手段２４は、圧縮機２９、水冷媒熱交換器３０、膨張弁３１、空気熱交換器３２、送風機３３、外気温度を検出する外気温度センサ３４とを備えて構成されている。
【００１９】
３５は浴室外に設けられた浴室外リモコン（リモートコントローラ）で、給湯装置の作動状態や設定状態を報知する報知部としての表示部３５ａと、予め記憶している音声データや報知音等を出力するスピーカー３５ｂと、浴槽１３への湯張りを開始させるための風呂スイッチ３５ｃと、風呂設定温度を変更するための変更スイッチ３５ｄと、その他のスイッチ３５ｅとを備えている。
【００２０】
３６は浴室内に設けられた浴室内リモコン（リモートコントローラ）で、給湯装置の作動状態や設定状態を報知する報知部としての表示部３６ａと、予め記憶している音声データや報知音等を出力するスピーカー３６ｂと、浴槽１３への湯張りを開始させるための風呂スイッチ３６ｃと、風呂設定温度を変更するための変更スイッチ３６ｄと、その他のスイッチ３６ｅと、浴室内の室温を検出する浴室温度センサ３７とを備えている。
【００２１】
また、各リモコンに設けたその他のスイッチ３５ｅ及び３６ｅは後述するあたため浴運転スイッチ等の運転を指示するスイッチでも良い。
【００２２】
３８はこの給湯装置の作動を制御する本体制御手段で、給湯流量センサ８、給湯温度センサ９、給水温度センサ１０、湯張り流量センサ１４、湯張り温度センサ１５、貯湯温度センサ１７、風呂温度センサ２１、水位センサ２２、外気温度センサ３４、浴室温度センサ３７の検出値が入力され、給湯混合弁５、風呂混合弁１１、湯張り電磁弁１６、風呂循環ポンプ２０、加熱手段２４の作動を制御すると共に、浴室外リモコン３５および浴室内リモコン３６と必要な情報を送受信可能に接続されている。ここで、本体制御手段３８は、ＭＰＵ等の論理回路を有してメモリを参照しつつ予め記憶されているプログラムに従って作動を制御するものである。
【００２３】
次に、本発明の風呂給湯装置の作動について説明する。
【００２４】
＜沸き上げ運転＞
電力料金単価の安価な所定時間帯（深夜時間帯）の開始時刻になると、本体制御手段３８はそれまでの給湯負荷量に見合う湯量を沸き上げ開始するべく、加熱手段２４に対し、給湯負荷量に見合う沸き上げ目標温度と沸き上げ開始の指示を送信し、加熱手段２４は圧縮機２９と膨張弁３１と送風機３３と加熱循環ポンプ２６を駆動開始して、貯湯タンク１下部から取り出した湯水を水冷媒熱交換器３０で沸き上げ目標温度まで加熱して貯湯タンク１上部へ戻し、貯湯タンク１上部から沸き上げ設定温度の湯を積層状に貯湯し、本体制御手段３８は貯湯タンク１の最下部まで沸き上げるか、所定時間帯の終了時刻に到達すると、加熱手段２４に沸き上げの停止を指示し、加熱手段２４は圧縮機２９と膨張弁３１と送風機３３と加熱循環ポンプ２６を駆動停止して沸き上げ運転を終了する。
【００２５】
＜給湯＞
給湯栓７が開かれると、貯湯タンク１の底部に給水管２から市水が流入すると共に貯湯タンク１の頂部から出湯管３を介して高温の湯が出湯し、給湯混合弁５で給水バイパス管４からの水と混合されて給湯管６を通過する。そして、給湯流量センサ８が最低作動水量以上を検出すると、本体制御手段３８は、給湯温度センサ９が検出する温度が給湯設定温度と一致するように給湯混合弁５の弁開度をフィードバック制御して、給湯設定温度の給湯を行う。そして、給湯栓７が閉じられる等によって、給湯流量センサ８が最低作動水量未満を検出すると、本体制御手段３８は、給湯混合弁５の弁開度のフィードバック制御を停止して給湯停止するようにしている。
【００２６】
＜湯張り運転＞
本体制御手段３８が湯張りを指示すると、湯張り電磁弁１６を開弁し、湯張り温度センサ１５が検出する温度が、本体制御手段３８で指示された湯張り温度と一致するように風呂混合弁１１の弁開度をフィードバック制御して、指示された湯張り温度の湯張りを開始し、浴槽１３に供給する。
【００２７】
そして、本体制御手段３８は、湯張り流量センサ１４で検出する湯張り流量の積算値が風呂設定量、または水位センサ２２が風呂設定水位を検出すると、湯張り電磁弁１６を閉弁して湯張り運転を終了する
【００２８】
＜追い焚き運転＞
水位センサ２２で水圧を検知し水位を検出して浴槽１３内に残湯があり、本体制御手段３８は、風呂循環ポンプ２０を駆動して、風呂循環回路１９と風呂熱交換器１８に浴槽水を循環させ、浴槽水を風呂熱交換器１８で加熱する。そして、風呂温度センサ２１で浴槽水の温度が風呂設定温度まで上昇したことを確認すると、風呂循環ポンプ２０の駆動を停止する。
【００２９】
＜保温運転＞
また、風呂の保温運転では、一定時間毎に風呂循環ポンプ２０を駆動して風呂温度センサ２１で浴槽水の温度を確認し、風呂設定温度より低くなっていることを検知すると、循環を継続して浴槽水を風呂熱交換器１８で加熱する。そして、風呂温度センサ２１で浴槽水の温度が風呂設定温度より上昇したことを確認すると、風呂循環ポンプ２０の駆動を停止する。
【００３０】
また、本体制御手段３８は、湯張り停止時の浴槽１３内の水位を水位センサ２２の検出値に基づいて記憶し、浴槽１３内の水位が記憶した水位から低下すると、元の水位になるまで湯張りする補水運転を行う。
【００３１】
そして、湯張りの開始から予め設定された風呂の保温時間が経過すると、風呂の保温運転および風呂補水運転も停止して、風呂の保温運転を停止する。
【００３２】
次に、本発明の特徴的な動作を図４に示すフローチャートに基づいて説明する。
浴室内リモコン３６に備えた浴室温度センサ３７で検出した浴室温度が所定温度以下（ここでは１５℃以下）になると（Ｓ１がＹｅｓ）、あたため浴運転制御手段３８ａは、浴室内リモコン３６及び浴室外リモコン３５にあたため浴運転モードを選択可能な表示を行う。そして、あたため浴運転モードが選択されると（Ｓ２がＹｅｓ）、あたため浴運転制御手段３８ａは浴室外リモコン３５のスピーカー３５ｂ及び浴室内リモコン３６のスピーカー３６ｂから「あたため浴運転を開始します。浴槽の蓋を開けてください。」等の報知を行い（Ｓ３）、所定量及び風呂設定温度の湯を浴槽１３に湯張りして呼び水を行い（Ｓ４）、水位センサ２２で水圧を検知し水位を検出して浴槽１３内に残湯があるかの残湯チェックを行う（Ｓ５）。
【００３３】
そして、残湯チェックをおこなって、残湯がなしの場合（Ｓ５がＹｅｓ）、風呂設定量の２／３まで、風呂設定温度よりも高い温度の所定暖房温度（ここでは風呂設定温度＋３℃）の湯で湯張りを行い（Ｓ６）、風呂設定量の２／３に到達すると（Ｓ７がＹｅｓ）、第一攪拌動作を開始する（Ｓ８）。
【００３４】
＜第一攪拌動作＞
この第一攪拌動作について図３のフローチャートに基づいて詳しく説明する。
あたため浴運転制御手段３８ａが第一攪拌動作を指示すると（Ｓ２２）、本体制御手段３８は風呂循環ポンプ２０を駆動し（Ｓ２３）、風呂温度センサ２１で浴槽水の温度を確認し（Ｓ２４）、風呂設定温度よりも高い温度の所定暖房温度（ここでは風呂設定温度＋３℃）より低くなっていることを検知すると（Ｓ２４がＹｅｓ）、三方弁２３を風呂熱交換器３２側に連通させ、循環を継続して浴槽水を風呂熱交換器１８で加熱して風呂設定温度＋３℃になるように追い焚き運転を行う（Ｓ２５）。
【００３５】
そして、浴室温度センサ３７で検出した浴室の温度が所定のヒートショック緩和温度（ここでは２０℃）より上昇するか、第一攪拌動作が所定時間以上継続したか（ここでは５分）を監視し、この浴室温度と風呂温度の温度差によるヒートショックを防止する条件であるヒートショック緩和条件を満たしているか確認する（Ｓ２６）。
【００３６】
また、風呂設定温度＋３℃よりも高くなっていることを検知すると（Ｓ２４がＮｏ）、三方弁２３で風呂熱交換器３２側を閉じて、風呂熱交換器３２を迂回させて浴槽水を加熱せず、循環を継続する（Ｓ２７）。
【００３７】
そして、浴室温度センサ３７で検出した浴室の温度が所定のヒートショック緩和温度（ここでは２０℃）より上昇するか、攪拌動作が所定時間以上継続したか（ここでは５分）を監視し、この入浴者が安全に入浴することができる条件であるヒートショック緩和条件を満たしているか確認する（Ｓ２８）。
【００３８】
そして、浴室温度セ３３ンサ３７で検出した浴室の温度が所定のヒートショック緩和温度より上昇するか、攪拌動作が５分間継続したかを確認し、この所定のヒートショック緩和条件条件をみたすと（Ｓ２６またはＳ２８がＹｅｓ）、風呂熱交換機１８の加熱を停止し（Ｓ９）、風呂循環ポンプ２０の駆動を停止し（Ｓ３０）、攪拌動作を終了し（Ｓ３１）、図２のステップ９へ進む。
【００３９】
このように、風呂設定温度＋３℃以上で湯張りした浴槽水を風呂循環ポンプ２０で攪拌させて、風呂設定温度よりも高い温度で湯張りした浴槽水から浴室内に効率的に放熱させて、浴室の温度を上昇させることができる。
【００４０】
図２のステップ９では、第一攪拌動作停止時に風呂温度をチェックして、風呂設定量到達時に予め設定された風呂設定温度に沸き上げられるように湯張り温度を再計算し、次いで、再計算した湯張り温度で、風呂設定量の１／３を湯張り開始する（Ｓ１０）。そして、風呂設定量に到達したら（Ｓ１１がＹｅｓ）、湯張り運転を停止する（Ｓ１２）。
【００４１】
また、残湯チェックをおこなって、残湯があった場合（Ｓ５がＮｏ）、追い焚き運転により浴槽１３内の残湯を風呂設定温度まで追い焚きし（Ｓ１３）、追い焚き運転完了後、第一攪拌動作を開始する（Ｓ１４）。
【００４２】
そして、第一攪拌動作停止時に風呂温度をチェックして、風呂設定量到達時に予め設定された風呂設定温度に沸き上げられるように湯張り温度を再計算し（Ｓ１５）、再計算した湯張り温度で、風呂設定量までの湯張り開始する（Ｓ１６）。そして、風呂設定量に到達したら（Ｓ１７がＹｅｓ）、湯張り運転を停止する（Ｓ１８）。
【００４３】
湯張り運転停止後、さらに、風呂設定量及び風呂設定温度に到達した浴槽１３の湯に第二攪拌動作を行う（Ｓ１９）、
【００４４】
＜第二攪拌動作＞
この第二攪拌動作について図４のフローチャートに基づいて詳しく説明する。
あたため浴運転制御手段３８ａが第二攪拌動作を指示すると（Ｓ３２）、本体制御手段３８は風呂循環ポンプ２０を駆動し（Ｓ３３）、風呂温度センサ２１で浴槽水の温度を確認し（Ｓ３４）、風呂設定温度より低くなっていることを検知すると（Ｓ３４がＹｅｓ）、三方弁２３を風呂熱交換器３２側に連通させ、循環を継続して浴槽水を風呂熱交換器１８で加熱して風呂設定温度になるように追い焚き運転を行う（Ｓ３５）。
【００４５】
そして、浴室温度センサ３７で検出した浴室の温度が所定のヒートショック緩和温度（ここでは２０℃）より上昇するか、第二攪拌動作が所定時間以上継続したか（ここでは５分）を監視し、この浴室温度と風呂温度の温度差によるヒートショックを防止する条件であるヒートショック緩和条件を満たしているか確認する（Ｓ３６）。
【００４６】
また、風呂設定温度よりも高くなっていることを検知すると（Ｓ３４がＮｏ）、三方弁２３で風呂熱交換器３２側を閉じて、風呂熱交換器３２を迂回させて浴槽水を加熱せず、循環を継続する（Ｓ３７）。
【００４７】
そして、浴室温度センサ３７で検出した浴室の温度が所定のヒートショック緩和温度（ここでは２０℃）より上昇するか、第二攪拌動作が所定時間以上継続したか（ここでは５分）を監視し、この浴室温度と風呂温度の温度差によるヒートショックを防止する条件であるヒートショック緩和条件を満たしているか確認する（Ｓ３８）。
【００４８】
そして、浴室温度センサ３７で検出した浴室の温度が所定のヒートショック緩和温度より上昇するか、第二攪拌動作が５分間継続したかを確認し、この所定のヒートショック緩和条件をみたすと（Ｓ３６またはＳ３８がＹｅｓ）、風呂熱交換機１８の加熱を停止し（Ｓ３９）、風呂循環ポンプ２０の駆動を停止し（Ｓ４０）、第二攪拌動作を終了し（Ｓ４１）、図２のステップ２０へ進む。
【００４９】
このように、風呂設定温度以上に沸き上げた浴槽水を風呂循環ポンプ２０で攪拌させて、効率的に浴槽水から浴室内に放熱させて、浴室の温度を上昇させることができると共に、放熱させることで風呂温度が下がってしまっても風呂熱交換器１８による加熱を行うか否かを切り替えているため、あたため浴運転完了時には、入浴者が所望している風呂設定温度にしつつ、ヒートショックを防止できる浴室温度をまで上昇させることができるので、安全で快適な状態に浴室環境を整えることができる。
【００５０】
そして、図２のステップ２０では、第二攪拌動作を停止し、あたため浴運転制御手段３８ａは浴室外リモコン３５のスピーカー３５ｂ及び浴室内リモコン３６のスピーカー３６ｂからあたため浴運転の完了したことを報知する。
【００５１】
このように、浴室温度が所定温度よりも低い場合は、あたため浴運転を選択することで、湯張り途中に、浴室温度と風呂温度の温度差によるヒートショックを防止する所定のヒートショック緩和条件に達するまで、風呂循環ポンプ２０の駆動で、風呂循環回路１９と浴槽１３の湯を循環させて、浴槽水からの放熱により浴室温度を上昇させる第一及び第二攪拌動作を行うことで、湯張り完了時に浴室をヒートショックの危険が無い温度まで浴室温度をあたためることができると共に、所望の風呂設定温度に沸き上げることができる。
【００５２】
また、湯張り途中に所定のヒートショック緩和条件を満たしていれば第一及び第二攪拌動作を省略して通常の湯張りを行ない、湯張り完了を報知するため、無駄な動作をしなくてもよく、電気代を節約すると共に、簡易な制御によってヒートショックを防止することができる。
【００５３】
また、浴室内リモコン３６に備えた浴室温度センサ３７で検出した浴室温度が所定温度以上（ここでは１５℃以上）であったら（Ｓ１がＮｏ）、もしくは、浴室温度センサ３７で検出した浴室温度が所定温度以下であったが（Ｓ１がＹｅｓ）、入浴者があたため浴運転モードを選択しなかった場合は（Ｓ２がＮｏ）、通常湯張り運転を行う。
【００５４】
＜通常湯張り運転＞
ここで、通常湯張り運転について図５のフローチャートに基づいて説明する。
本体制御手段３８が通常湯張り運転を指示すると（Ｓ４２）、本体制御手段３８は浴室外リモコン３５のスピーカー３５ｂ及び浴室内リモコン３６のスピーカー３６ｂから「通常湯張り運転を開始します。」等の報知を行い（Ｓ４３）、所定量及び風呂設定温度の湯を浴槽１３に湯張りして呼び水を行い（Ｓ４４）、水位センサ２２で水圧を検知し水位を検出して浴槽１３内に残湯があるかの残湯チェックを行う（Ｓ４５）。
【００５５】
そして、残湯チェックをおこなって、残湯がなしの場合（Ｓ４５がＹｅｓ）、風呂設定温度の湯で湯張りを行い（Ｓ４６）、風呂設定量に到達すると（Ｓ４７がＹｅｓ）、湯張りを停止する（Ｓ４８）。
【００５６】
また、残湯チェックをおこなって、残湯があった場合（Ｓ４５がＮｏ）、追い焚き運転により浴槽１３内の残湯を風呂設定温度まで追い焚きし（Ｓ４９）、風呂設定温度まで追い焚きが完了すると（Ｓ５０がＹｅｓ）、風呂設定温度の湯を湯張りし（Ｓ５１）、風呂設定量に到達すると（Ｓ５２がＹｅｓ）、湯張りを停止する（Ｓ５３）。
【００５７】
そして、湯張りが停止したあと、本体制御手段３８は浴室外リモコン３５のスピーカー３５ｂ及び浴室内リモコン３６のスピーカー３６ｂから通常湯張り運転が完了したことを報知する（Ｓ５４）。
【００５８】
なお、本発明は上記実施形態に限定されるものではなく、発明の要旨を変更しない範囲で改変可能なものであり、例えば、浴室温度センサ３７で検出した温度が所定温度以下であったら、浴室外リモコン３５の表示部３５a及び浴室内リモコン３６の表示部３６aにあたため浴運転モードを選択できるようにしているが、リモコンに、あたため浴運転スイッチを設け、あたため浴運転スイッチであたため浴運転開始を操作してもよい。
【００５９】
また、ヒートポンプ式の加熱手段で湯水を加熱する貯湯式の風呂給湯装置を例に説明したが、例えば、ガスや灯油を燃料とした瞬間加熱式の風呂給湯装置であってもよい。
【００６０】
また、リモコンからの報知は、リモコン３５及び３６に音声データとして記憶しているが、音声データに加えて、または音声データに代えて文字データとしてリモコンの表示部３５ａ及び３６ａから報知する構成としてもよいものである。
【００６１】
また、所定のヒートショック緩和条件は、浴室温度センサ３７で検出した浴室の温度が所定のヒートショック緩和温度より上昇するか、第二攪拌動作が５分間継続したかのどちらか一方を満たせば、所定のヒートショック緩和条件となっているが、両方を満たした場合に所定のヒートショック緩和条件に達したと判断しても良いし、ヒートショック緩和温度や所定時間の数値を適宜変更しても良い。
【符号の説明】
【００６２】
１３    浴槽
１８    風呂熱交換器
１９    風呂循環回路
２０    風呂循環ポンプ
２１    風呂温度センサ
２２    水位センサ
２３    三方弁
３６    浴室内リモコン（リモートコントローラ）
３６ａ  表示部（報知手段）
３６ｂ  スピーカー（報知手段）
３６ｃ  風呂スイッチ
３７    浴室温度センサ
３８    本体制御手段（制御手段）
３８ａ  あたため浴運転制御手段
【図１】
2019158270.tif 000003
【図２】
2019158270.tif 000004
【図３】
2019158270.tif 000005
【図４】
2019158270.tif 000006
【図５】
2019158270.tif 000007